(57)【特許請求の範囲】
【請求項１】
分散型電源の転送遮断信号を送信する親局と、当該親局から前記転送遮断信号を受信し、前記分散型電源を電力系統から遮断する子局とを備える分散型電源用転送遮断システムであって、
前記子局は、
前記電力系統又は前記分散型電源の異常を検出したときに、前記分散型電源を前記電力系統から遮断する保護継電器に設定されている整定値である設定値を取得する手段と、
前記設定値を変更する手段と、
を備え、
前記親局は、
前記保護継電器に設定されるべき整定値である適正値を記憶する手段と、
前記子局から前記設定値を取得する手段と、
前記記憶した適正値と、前記取得した設定値とが異なる場合に、前記保護継電器の設定値を前記適正値に変更する指示を前記子局に送信する手段と、
前記設定値を前記適正値に変更する指示を前記子局に送信した後に、前記記憶した適正値と、再度取得した設定値とが異なる場合に、前記転送遮断信号を前記子局に送信する手段と、
を備えることを特徴とする分散型電源用転送遮断システム。
【請求項２】
分散型電源の転送遮断信号を送信する親局と、当該親局から前記転送遮断信号を受信し、前記分散型電源を電力系統から遮断する子局とを備える分散型電源用転送遮断システムであって、
前記子局は、
前記電力系統又は前記分散型電源の異常を検出したときに、前記分散型電源を前記電力系統から遮断する保護継電器に設定されている整定値である設定値を変更する手段
を備え、
前記親局は、
配下の各保護継電器に設定されるべき整定値である適正値を随時取得し、当該保護継電器ごとに記憶する手段と、
各保護継電器の設定値を前記適正値に変更する指示を各子局に一括して送信する手段と、
前記適正値を各需要家の装置に送信する手段と、
を備えることを特徴とする分散型電源用転送遮断システム。
【請求項３】
電力系統又は分散型電源が異常と判断したときに、前記電力系統と、前記分散型電源との間に接続された開閉器に開路を指示する遮断信号を出力する保護継電器の整定値に関する処理を行う整定値処理装置であって、
前記電力系統の管理者の装置から、前記保護継電器と、前記電力系統の計測器及び前記開閉器とが接続された第１接続状態、又は、前記保護継電器と、当該整定値処理装置とが接続された第２接続状態を示す切替データを受信する切替データ受信手段と、
前記切替データ受信手段が受信した切替データに基づいて、前記第１接続状態、又は、前記第２接続状態を切り替える切替手段と、
前記電力系統の管理者の装置から、前記整定値の出力処理を示す、又は、前記整定値の変更処理及びその変更すべき整定値を示す処理データを受信する処理データ受信手段と、
前記切替手段により前記第２接続状態に切り替えた状態で、前記処理データ受信手段が受信した処理データに基づいて、前記整定値の出力を指示する信号、又は、前記変更すべき整定値への変更を指示する信号を前記保護継電器に出力し、その後に前記保護継電器から前記指示した出力又は変更の結果を取得し、前記電力系統の管理者の装置に送信する整定値処理手段と、
前記整定値処理手段による前記処理を終了した後に、前記切替手段により前記第１接続状態に切り替える復帰手段と、
を備えることを特徴とする整定値処理装置。
【請求項４】
請求項３に記載の整定値処理装置であって、
前記保護継電器の処理のスケジュールを記憶し、そのスケジュールに従って前記保護継電器の処理を行う
ことを特徴とする整定値処理装置。
【請求項５】
請求項３に記載の整定値処理装置であって、
前記保護継電器の処理のスケジュールを記憶し、そのスケジュールに従って前記保護継電器の処理を行う
ことを特徴とする整定値処理装置。
【請求項６】
請求項３に記載の整定値処理装置であって、
現地作業員の操作により前記保護継電器の処理の指示を取得したときに、前記保護継電器の処理を行う
ことを特徴とする整定値処理装置。
【発明の詳細な説明】
【技術分野】
【０００１】
本発明は、分散型電源用転送遮断システムにおける転送遮断装置を利用した、保護継電器の整定値設定機能に関する。
【背景技術】
【０００２】
近年のエコブーム、発電装置の導入を支援する補助金制度、余剰電力の買取制度等により、太陽光発電装置、風力発電装置や蓄電設備（以下、「発電設備」という）の普及が進んでおり、多数の発電設備が設置されつつある。
【０００３】
発電設備を電力系統に接続して発電する際には、資源エネルギー庁制定の「電力品質確保に係る系統連系技術要件ガイドライン」や、そのガイドラインを補足するための「系統連系規程」に基づき、発電設備の所有者又は管理者等（以下、「顧客」という）と、電力系統の管理者（以下、「系統管理者」という）とが、電力品質や安全対策に関する事前協議を行い、必要な対策が講じられていることを確認するように求められている。
【０００４】
必要な対策の一つとして、保護継電器の設置及び管理がある。保護継電器は、短絡故障等を検出し、故障区間を電力系統から切り離す制御機能を持ち、顧客に対しては、保護継電器を適正に管理することが将来に亘って求められるが、その一方、保護継電器の管理状況は系統管理者により随時確認されることが望ましい。
【先行技術文献】
【特許文献】
【０００５】
【特許文献１】特開２００３−７０１５２号公報
【発明の概要】
【発明が解決しようとする課題】
【０００６】
そこで、従来、顧客と、系統管理者との間で交わされる契約書（例えば、太陽光発電からの余剰電力受給に関する契約要綱等）に、保護継電器に関する事項が記載されるようになっているが、保護継電器が動作する電圧や電流等の整定値を、系統管理者が遠隔地から監視したり、設定したりする仕組みがないため、次のような問題が生じる。  
（１）発電設備が多数連系されると、電圧上昇が大きくなり、個々の発電設備において自動電圧調整機能が働くが、その際に顧客が売電に有利な整定値に勝手に変更したとしても、それを系統管理者が把握できず、第三者の不利益（電圧上昇、売電抑制等）につながるおそれがある。  
（２）誤入力等により協定値以外の整定値が設定されたとしても、それを系統管理者が把握できず、電力系統の安全性が保証されない。  
（３）電力系統の構成変更等により保護継電器の整定値を変更する必要が生じた場合に、現地に赴く必要があり、整定値の設定変更に係る作業等の手間が生じる。  
なお、特許文献１には、直列リアクトルあるいは炉用変圧器のタップが変更された場合に、変更後のタップに応じた整定値を保護継電器に設定変更することにより、事故の発生を防止する制御装置が開示されているが、現時点で保護継電器に設定されている整定値を確認するものではない。
【０００７】
本発明は、上記課題を鑑みてなされたものであり、その主たる目的は、保護継電器の整定値の設定及び管理を円滑に行うことにある。
【課題を解決するための手段】
【０００８】
上記課題を解決するために、本発明は、分散型電源の転送遮断信号を送信する親局と、当該親局から前記転送遮断信号を受信し、前記分散型電源を電力系統から遮断する子局とを備える分散型電源用転送遮断システムであって、前記子局が、前記電力系統又は前記分散型電源の異常を検出したときに、前記分散型電源を前記電力系統から遮断する保護継電器に設定されている整定値である設定値を取得する手段と、前記設定値を変更する手段と、を備え、前記親局が、前記保護継電器に設定されるべき整定値である適正値を記憶する手段と、前記子局から前記設定値を取得する手段と、前記記憶した適正値と、前記取得した設定値とが異なる場合に、前記保護継電器の設定値を前記適正値に変更する指示を前記子局に送信する手段と、前記設定値を前記適正値に変更する指示を前記子局に送信した後に、前記記憶した適正値と、再度取得した設定値とが異なる場合に、前記転送遮断信号を前記子局に送信する手段と、を備えることを特徴とする。
この構成によれば、親局が、子局を通じて、保護継電器に設定された整定値を読み出し、その整定値が間違っていれば、正しい整定値（適正値。例えば、需要家や系統管理者による協定値）を保護継電器に書き込むことにより、保護継電器の整定値の設定及び管理を円滑に行うことができる。これによれば、需要家が保護継電器の整定値を勝手に変更したとしても、系統管理者が配下にある保護継電器の整定値を随時監視し、必要に応じて正しい整定値に再設定することができる。
【０００９】
また、本発明は、分散型電源の転送遮断信号を送信する親局と、当該親局から前記転送遮断信号を受信し、前記分散型電源を電力系統から遮断する子局とを備える分散型電源用転送遮断システムであって、前記子局が、前記電力系統又は前記分散型電源の異常を検出したときに、前記分散型電源を前記電力系統から遮断する保護継電器に設定されている整定値である設定値を変更する手段を備え、前記親局が、配下の各保護継電器に設定されるべき整定値である適正値を随時取得し、当該保護継電器ごとに記憶する手段と、各保護継電器の設定値を前記適正値に変更する指示を各子局に一括して送信する手段と、前記適正値を各需要家の装置に送信する手段と、を備えることを特徴とする。
この構成によれば、所定の状況変化（例えば、電力系統の構成変更等）に応じて、親局は、保護継電器の整定値として新たな適正値を取得したときに、子局を通じて適正値を保護継電器に設定するとともに、新たな適正値を需要家の連絡先に通知するので、保護継電器の整定値の設定及び管理を円滑に行うことができる。例えば、電力系統に連系する太陽光発電システムが増加し、各保護継電器に設定された整定値の変更が必要になった場合に、各需要家宅で個別に設定変更するのではなく、親局から配下にある各保護継電器の整定値を一括して設定変更可能にすることにより、現地保守員による作業の手間が省くことができる。また、整定値は、配電線の構成変更等に応じて変わることがあるので、その都度需要家に通知するのは有意義である。
【００１０】
また、本発明は、電力系統又は分散型電源が異常と判断したときに、前記電力系統と、前記分散型電源との間に接続された開閉器に開路を指示する遮断信号を出力する保護継電器の整定値に関する処理を行う整定値処理装置であって、前記電力系統の管理者の装置から、前記保護継電器と、前記電力系統の計測器及び前記開閉器とが接続された第１接続状態、又は、前記保護継電器と、当該整定値処理装置とが接続された第２接続状態を示す切替データを受信する切替データ受信手段と、前記切替データ受信手段が受信した切替データに基づいて、前記第１接続状態、又は、前記第２接続状態を切り替える切替手段と、前記電力系統の管理者の装置から、前記整定値の出力処理を示す、又は、前記整定値の変更処理及びその変更すべき整定値を示す処理データを受信する処理データ受信手段と、前記切替手段により前記第２接続状態に切り替えた状態で、前記処理データ受信手段が受信した処理データに基づいて、前記整定値の出力を指示する信号、又は、前記変更すべき整定値への変更を指示する信号を前記保護継電器に出力し、その後に前記保護継電器から前記指示した出力又は変更の結果を取得し、前記電力系統の管理者の装置に送信する整定値処理手段と、前記整定値処理手段による前記処理を終了した後に、前記切替手段により前記第１接続状態に切り替える復帰手段と、を備えることを特徴とする。
この構成によれば、通常時には計測器及び開閉器に接続されている保護継電器を、整定値処理時には処理装置に接続し、処理装置が保護継電器に整定値の出力指示又は変更指示を出して、その結果を保護継電器から取得し、系統管理者の装置に送信することにより、人手を煩わせることなく、かつ、電力系統及び分散型電源の連系に影響を与えることなく、保護継電器の整定値に関する処理を行うことができる。一方、系統管理者の装置は、処理装置を通じて、現時点で保護継電器に設定されている整定値を取得することができ、その整定値が正しいか否かを判断し、正しくなければ、正しい整定値を保護継電器に設定することができる。また、系統管理者の装置は、保護継電器に設定されている整定値を無条件に変更することもできる。
【００１１】
これによれば、保護継電器の整定値の設定及び管理を円滑に行うことができる。なお、正しい整定値とは、需要家や系統管理者の間で協定された協定値、電力系統の構成変更に応じた計算値等である。
【００１２】
また、本発明の上記整定値処理装置において、前記電力系統の管理者の装置から前記保護継電器の処理の指示を取得したときに、前記保護継電器の処理を行うこととしてもよい。  
この構成によれば、系統管理者は、任意のタイミングで保護継電器の整定値処理を指示することができる。
【００１３】
また、本発明の上記整定値処理装置において、前記保護継電器の処理のスケジュールを記憶し、そのスケジュールに従って前記保護継電器の処理を行うこととしてもよい。  
この構成によれば、需要家（顧客）は、処理スケジュールを処理装置に予め設定しておくことにより、その処理スケジュール通りに保護継電器の整定値処理を実施することができる。
【００１４】
また、本発明の上記整定値処理装置において、現地作業員の操作により前記保護継電器の処理の指示を取得したときに、前記保護継電器の処理を行うこととしてもよい。  
この構成によれば、現地作業員は、任意のタイミングで保護継電器の整定値処理を指示することができる。
【００１５】
その他、本願が開示する課題及びその解決方法は、発明を実施するための形態の欄、及び図面により明らかにされる。
【発明の効果】
【００１６】
本発明によれば、保護継電器の整定値の設定及び管理を円滑に行うことができる。
【図面の簡単な説明】
【００１７】
【図１】分散型電源用転送遮断システム１の構成を示す図である。
【図２】転送遮断信号伝送装置（親局）３の構成を示す図である。
【図３】パワーコンディショナ５及びその周辺の構成を示す図である。
【図４】子局９の構成を示す図である。
【図５】各装置の記憶部に記憶されるデータの構成を示す図であり、（ａ）は親局３の記憶部３５に記憶される顧客情報３５Ａの構成を示し、（ｂ）は子局９の記憶部９４に記憶される子局情報９４Ａの構成を示す。
【図６】親局３と、子局９との間で送受信されるデータの形式を示す図であり、（ａ）は変更用スイッチ切替データの形式を示し、（ｂ）は整定値処理データの形式を示す。
【図７】親局３の整定値の確認及び変更処理を示すフローチャートである。
【図８】子局９のデータ受信処理を示すフローチャートである。
【発明を実施するための形態】
【００１８】
以下、図面を参照しながら、本発明を実施するための形態を説明する。本発明の実施の形態に係る整定値処理装置（子局）は、系統管理者側の装置（親局）からの指示を受けて、保護継電器に設定されている整定値を取得し、変更する機能を有し、保護継電器に整定値の読み出し信号及び書き込み信号を送信し、その結果を取得する。親局は、子局を通じて、各分散型電源に接続された保護継電器の整定値を把握し、必要に応じて強制的に設定変更を行う。すなわち、本発明の実施の形態では、親局及び子局を含む分散型電源用転送遮断システムを活用して、外部から連系保護リレーの整定値に関する処理を行う。なお、整定値は、保護継電器ごとに決まり、発電設備設置者である顧客と系統管理者との協議によって設定される。具体的な整定値としては、電圧値、周波数、電流値、インピーダンス等が設定される。
【００１９】
以上によれば、保護継電器に設定されている整定値を随時監視し、点検することができ、個人による勝手な整定値の変更を防止することができる。これによれば、保護継電器の運用に際して、顧客及び系統管理者、双方の負担を軽減することができ、電力系統の安全性、ひいては、公共の利益を確保することが可能となる。
【００２０】
≪システムの構成と概要≫
図１は、分散型電源用転送遮断システム１の構成を示す図である。分散型電源用転送遮断システム１は、配電自動化システム２、転送遮断信号伝送装置（以下、「親局」という）３、転送遮断信号中継装置（以下、「中継局」という）４、パワーコンディショナ５及び分散型電源６を備える。中継局４は電柱上に設けられ、パワーコンディショナ５は顧客（電力需要家）の宅内に設けられ、それらは引込み線を介して通信可能に接続される。
【００２１】
配電自動化システム２は、電力系統の状態を管理し、電力系統情報をリアルタイムに親局３に送信する。親局３は、予め電力系統情報を取得し、記憶しておく。そして、電力系統の事故が発生した場合に、ＣＢ（Circuit Breaker：遮断器）・Ｒｙ（Relay：保護リレー）情報を取得し、取得したＣＢ・Ｒｙ情報及び記憶した電力系統情報に基づいて、停電した配電線の区間に接続された分散型電源６を特定し、特定した分散型電源６の番号を含む転送遮断信号（解列要求）を、ＩＰ網７を介して自己の配下にある中継局４に送出する。中継局４は、配下にある分散型電源６の番号を記憶している。そして、親局３からＩＰ網７を介して転送遮断信号を受信すると、当該転送遮断信号に含まれる遮断対象の分散型電源６の番号に、当該中継局４の配下の分散型電源６の番号が含まれている場合には、引込み線を用いたＰＬＣ（Power Line Communication：電力線搬送通信）により配下のパワーコンディショナ５へ転送遮断信号を送信する。
【００２２】
パワーコンディショナ５は、分散型電源６が発電した直流電力を家庭用交流電力に変換する機能を有するとともに、引込み線上の低速のＰＬＣにより中継局４から転送遮断信号を受信して、又は、自身が系統異常を検出して、内蔵する開閉器により分散型電源６を電力系統から解列させる機能を有する。分散型電源６は、顧客宅に設置された、例えば、太陽光発電や風力発電等の自家発電電源であり、パワーコンディショナ５を介して電力系統に接続される。
【００２３】
なお、親局３と、パワーコンディショナ５との間では、転送遮断信号だけでなく、パワーコンディショナ５に内蔵される連系保護リレーの整定値処理に関するデータが、中継局４経由で送受信される。
【００２４】
図２は、転送遮断信号伝送装置（親局）３の構成を示す図である。親局３は、通信部３１、表示部３２、入力部３３、処理部３４及び記憶部３５を備え、各部がバス３６を介してデータを送受信可能なように構成される。通信部３１は、通信線（ＩＰ網７を含む）を介して配電自動化システム２や中継局４と通信を行う部分であり、ＮＩＣ（Network Interface Card）等によって実現される。表示部３２は、処理部３４からの指示によりデータを表示する部分であり、例えば、液晶ディスプレイ（ＬＣＤ：Liquid Crystal Display）等によって実現される。入力部３３は、オペレータがデータを入力する部分であり、キーボードやマウス等によって実現される。処理部３４は、各部間のデータの受け渡しを行うととともに、親局３全体の制御を行うものであり、ＣＰＵ（Central Processing Unit）が所定のメモリに格納されたプログラムを実行することによって実現される。記憶部３５は、処理部３４からデータを記憶したり、記憶したデータを読み出したりするものであり、フラッシュメモリやハードディスク装置等の不揮発性記憶装置によって実現される。  
なお、配電自動化システム２及び中継局４は、図２の親局３と同様の構成を有する。
【００２５】
図３は、パワーコンディショナ５及びその周辺の構成を示す図である。パワーコンディショナ５は、電気主回路部としてインバータ５１及び開閉器５２を備え、制御回路部としてインバータ制御回路５３、連系保護リレー５４及び子局９を備える。インバータ５１は、分散型電源６からの直流電力を交流電力に変換する装置であり、変換後の交流電力は、開閉器５２を経由して分電盤８に供給される。開閉器５２は、分散型電源６を電力系統に並列又は解列させるための開閉器であり、インバータ５１と、分電盤８との間に接続され、通常は閉路状態により分散型電源６を並列させるが、電力系統の異常が検出されると、開路状態となることにより分散型電源６を解列させる。
【００２６】
インバータ制御回路５３は、インバータ５１に関する各種制御（電圧、電流、周波数、最大電力点追従［ＭＰＰＴ、Maximum Power Point Tracking］、単独運転検出、電圧上昇防止、シーケンス等）を行うとともに、電力系統の異常を検出したときに系統異常情報を連系保護リレー５４に送信する。連系保護リレー５４は、電力線に設けられた計測器（図示せず）から電力系統の電圧、電流、周波数等（系統データ）を取得し、異常を検出した場合に、トリップ信号を出力することにより、分散型電源６を電力系統から解列させる。なお、インバータ制御回路５３を通じて、系統異常情報を受信した場合や分散型電源６の故障を検出した場合にも、トリップ信号を出力する。また、連系保護リレー５４は、子局９からの指示により、整定値の出力及び変更を行い、処理結果を出力する。
【００２７】
子局９は、親局３から中継局４を経由して受信したデータに従って、連系保護リレー５４への整定値の出力指示及び変更指示と、分散型電源６の転送遮断（分散型電源用転送遮断システムにおける転送遮断装置としての機能）とを行う装置であり、マグネットスイッチＭＧＳ１及びＭＧＳ２、端子Ｔ２及びＴ４に接続されている。マグネットスイッチＭＧＳ１に対しては、転送遮断信号を出力することにより、開閉器５２を開路にして分散型電源６を解列させる。マグネットスイッチＭＧＳ２に対しては、変更用スイッチ切替信号を出力することにより、通常時と、連系保護リレー５４の整定値変更時とに応じて、変更用スイッチＳＷ１及びＳＷ２と、各端子との接続を切り替える。
【００２８】
変更用スイッチＳＷ１は、連系保護リレー５４へ入力する信号の発信元を切り替えるスイッチであり、その接続が切り替えられる端子のうち、端子Ｔ１は電力線の計測器（図示せず）につながり、端子Ｔ２は子局９につながる。一方、変更用スイッチＳＷ２は、連系保護リレー５４から出力する信号の行き先を切り替えるスイッチであり、その接続が切り替えられる端子のうち、端子Ｔ３はマグネットスイッチＭＧＳ１につながり、端子Ｔ４は子局９につながる。
【００２９】
通常時、変更用スイッチＳＷ１は端子Ｔ１に接続され、変更用スイッチＳＷ２は端子Ｔ３に接続される。これにより、連系保護リレー５４は、電力線から系統データを取得し、電力系統の異常を検出した場合に、転送遮断信号をトリップ信号としてマグネットスイッチＭＧＳ１に出力することにより、開閉器５２を開路にして分散型電源６を解列させる。一方、整定値変更時、変更用スイッチＳＷ１は端子Ｔ２に接続され、変更用スイッチＳＷ２は端子Ｔ４に接続される。これにより、連系保護リレー５４は、子局９から整定値の出力指示や変更指示（協定値又は変更値を含む）を取得し、指示に応じた処理を行い、整定値や処理結果をトリップ信号として子局９に出力する。
【００３０】
図４は、子局９の構成を示す図である。子局９は、通信部９１、信号入出力部９２、処理部９３及び記憶部９４を備え、各部がバス９５を介してデータを送受信可能なように構成される。通信部９１は、ＰＬＣによって中継局４と通信を行う部分であり、ＰＬＣモデム等によって実現される。信号入出力部９２は、図３に示すマグネットスイッチＭＧＳ１、ＭＧＳ２及び端子Ｔ２に信号を出力するとともに、端子Ｔ４から信号を取得する。処理部９３は、各部間のデータの受け渡しを行うととともに、子局９全体の制御を行うものであり、ＣＰＵが所定のメモリに格納されたプログラムを実行することによって実現される。記憶部９４は、処理部９３からデータを記憶したり、記憶したデータを読み出したりするものであり、フラッシュメモリやハードディスク装置等の不揮発性記憶装置によって実現される。
【００３１】
≪データの構成≫
図５は、各装置の記憶部に記憶されるデータの構成を示す図である。図５（ａ）は、親局３の記憶部３５に記憶される顧客情報３５Ａの構成を示す。顧客情報３５Ａは、親局３の配下にある顧客宅に関する情報であり、分散型電源番号３５Ａ１、顧客連絡先３５Ａ２、協定整定値３５Ａ３、設定整定値３５Ａ４及び処理結果３５Ａ５を含むレコードからなる。分散型電源番号３５Ａ１は、親局３の配下に接続された分散型電源６に固有の番号であり、親局３が子局９へ送信するデータに設定される。顧客連絡先３５Ａ２は、分散型電源番号３５Ａ１の分散型電源６を管理する顧客（需要家）の連絡先であり、例えば、住所、電話番号、メールアドレス等が設定され、処理結果３５Ａ５を連絡する際の連絡先として用いられる。協定整定値３５Ａ３は、顧客や系統管理者により協定された、連系保護リレー５４の整定値である。設定整定値３５Ａ４は、実際に設定されている、連系保護リレー５４の整定値である。処理結果３５Ａ５は、子局９における処理の結果であり、異常だった場合に、顧客連絡先３５Ａ２に通知される。
【００３２】
図５（ｂ）は、子局９の記憶部９４に記憶される子局情報９４Ａの構成を示す。子局情報９４Ａは、子局９に関する情報であり、分散型電源番号９４Ａ１、リレー接続モード９４Ａ２、処理結果９４Ａ３及び整定値９４Ａ４を含む。分散型電源番号９４Ａ１は、子局９を内蔵するパワーコンディショナ５に接続される分散型電源６に固有の番号であり、親局３から受信したデータの分散型電源番号と照合され、一致したときに受信データに応じた処理が行われる。リレー接続モード９４Ａ２は、連系保護リレー５４の変更用スイッチＳＷ１及びＳＷ２の接続状態を示し、通常モード（第１接続状態）又は整定値変更モード（第２接続状態）が設定される。通常モードは、図３で説明した、通常時における接続状態（変更用スイッチＳＷ１が端子Ｔ１に接続され、変更用スイッチＳＷ２が端子Ｔ３に接続された状態）であり、連系保護リレー５４が通常の動作を行う。一方、整定値変更モードは、図３で説明した、整定値変更時における接続状態（変更用スイッチＳＷ１が端子Ｔ２に接続され、変更用スイッチＳＷ２が端子Ｔ４に接続された状態）であり、連系保護リレー５４が子局９からの指示により処理可能となる。処理結果９４Ａ３は、子局９のデータ受信処理の結果を示す。整定値９４Ａ４は、連系保護リレー５４に設定されている整定値を示す。
【００３３】
図６は、親局３と、子局９との間で送受信されるデータの形式を示す図である。図６（ａ）は、変更用スイッチ切替データの形式を示す。当該データは、親局３から子局９に対してパワーコンディショナ５の変更用スイッチＳＷ１及びＳＷ２を切り替えるように指示するとき、及び、その結果を子局９から親局３に通知するときに用いられる。パケット長は、当該データのサイズであり、固定長として「２０バイト」が設定される。分散型電源番号は、整定値処理の対象である連系保護リレー５４を内蔵するパワーコンディショナ５に接続されている分散型電源６の番号である。Ｔフラグは、整定値変更時「１」とし、通常時「０」とする。パケット種別は、選択制御指令（一挙動）を示す「３１ｈ」が設定される。Ｃフラグ及び通番は、０固定とする。制御コードは、変更用スイッチの切替コードを示し、通常モードへの切替を示す「０３ｈ」、又は、整定値変更モードへの切替を示す「０５ｈ」が設定される。制御応動結果は、変更用スイッチの切替結果を示し、正常動作を示す「ＦＦｈ」、又は、動作不良を示す「０Ｆｈ」が設定される。伝送時刻（日、時、分、秒）は、当該データを親局３又は子局９から送信した時刻を示し、１バイトごとに１０進数の１桁が設定される。
【００３４】
図６（ｂ）は、整定値処理データの形式を示す。当該データは、親局３から子局９に対して連系保護リレー５４の整定値に関する処理を実施するように指示するとき、及び、その結果を子局９から親局３に通知するときに用いられる。パケット長は、当該データのサイズであり、固定長として「２４バイト」が設定される。分散型電源番号は、整定値処理の対象である連系保護リレー５４を内蔵するパワーコンディショナ５に接続されている分散型電源６の番号である。Ｔフラグは、整定値処理時を示す「１」が設定される。パケット種別は、整定値処理を示す「３５ｈ」が設定される。Ｃフラグは、０固定とする。処理種別は、整定値に関する処理の種別を示し、出力を示す「０１ｈ」、又は、変更を示す「０２ｈ」が設定される。処理応答は、処理の結果を示し、リレー動作正常を示す「０１ｈ」以上の値、又は、リレー動作異常を示す「００ｈ」が設定される。変更整定値は、処理種別が変更を示す「０２ｈ」のときに、親局３により設定される、連系保護リレー５４に反映すべき整定値である。設定整定値は、処理種別が出力を示す「０１ｈ」のときに、子局９により設定される、連系保護リレー５４に実際に記憶されている整定値である。変更整定値及び設定整定値は、デジタルリレーのため２進数が設定される。伝送時刻（西暦、月、日、時、分）は、当該データを親局３又は子局９から送信した時刻を示し、１バイトごとに１０進数の１桁が設定される。
【００３５】
≪システムの処理≫
図７及び図８は、分散型電源用転送遮断システム１の処理を示すフローチャートである。図７は、親局３による連系保護リレー５４の整定値の確認及び変更処理を示す。本処理は、親局３において、主として処理部３４が、系統管理者の操作による入力部３３からの指示に応じて、記憶部３５のデータを参照、更新しながら、通信部３１によりＩＰ網７及び中継局４を介して子局９に整定値の確認及び変更の指示を行うものである。
【００３６】
まず、親局３は、連系保護リレー５４を整定値変更モードに切り替えるために、変更用スイッチ切替データを子局９に送信する（Ｓ７０１）。そのとき、図６（ａ）に示す変更用スイッチ切替データを所定のメモリ上に設定する。詳細には、記憶部３５の顧客情報３５Ａのうち、分散型電源番号３５Ａ１の１つを分散型電源番号に設定する。次に、整定値処理時を示す「１」をＴフラグに設定し、整定値変更モードへの切替を示す「０５ｈ」を制御コードに設定する。そして、現在の日付と時刻を伝送時刻に設定する。なお、変更用スイッチ切替データの固定値は、予め設定されているものとする。続いて、子局９から、切替結果として変更用スイッチ切替データを受信し、制御応動結果を処理結果３５Ａ５として記憶し（Ｓ７０２）、その制御応動結果が正常動作を示す「ＦＦｈ」であるか否かを判定する（Ｓ７０３）。
【００３７】
制御応動結果が「ＦＦｈ」、すなわち、切替結果が正常であれば（Ｓ７０３のＹ）、親局３は、連系保護リレー５４に設定されている整定値を取得するために、整定値処理データを子局９に送信する（Ｓ７０４）。そのとき、図６（ｂ）に示す整定値処理データを所定のメモリ上に設定する。詳細には、Ｓ７０１で変更用スイッチ切替データに設定した分散型電源番号を、分散型電源番号に設定する。次に、整定値の出力を示す「０１ｈ」を処理種別に設定する。そして、現在の年月日と時刻を伝送時刻に設定する。なお、整定値処理データの固定値は、予め設定されているものとする。続いて、子局９から、処理結果として整定値処理データを受信し、処理応答を処理結果３５Ａ５として記憶し（Ｓ７０５）、その処理応答がリレー正常動作を示す「０１ｈ」以上であるか否かを判定する（Ｓ７０６）。
【００３８】
処理応答が「０１ｈ」以上、すなわち、処理結果が正常であれば（Ｓ７０６のＹ）、親局３は、整定値処理データの設定整定値を設定整定値３５Ａ４として記憶し、その設定整定値３５Ａ４と、協定整定値３５Ａ３とが一致するか否かを判定する（Ｓ７０７）。一致すれば（Ｓ７０７のＹ）、整定値の変更は不要なので、Ｓ７０８〜Ｓ７１０の処理をスキップする。
【００３９】
一致しなければ（Ｓ７０７のＮ）、親局３は、連系保護リレー５４に設定されている整定値を協定値に変更するために、整定値処理データを子局９に送信する（Ｓ７０８）。そのとき、図６（ｂ）に示す整定値処理データを所定のメモリ上に設定する。詳細には、Ｓ７０４で整定値処理データに設定した分散型電源番号を、分散型電源番号に設定する。次に、整定値の変更を示す「０２ｈ」を処理種別に設定し、協定整定値３５Ａ３を変更整定値に設定する。そして、現在の年月日と時刻を伝送時刻に設定する。なお、整定値処理データの固定値は、予め設定されているものとする。続いて、子局９から、処理結果として整定値処理データを受信し、処理応答を処理結果３５Ａ５として記憶し（Ｓ７０９）、その処理応答がリレー正常動作を示す「０１ｈ」以上であるか否かを判定する（Ｓ７１０）。
【００４０】
正常であれば（Ｓ７１０のＹ）、連系保護リレー５４に対して整定値が正しく設定されたことになるので、親局３は、整定値処理データの変更整定値を設定整定値３５Ａ４として記憶部３５に記憶するとともに、連系保護リレー５４を通常モードに切り替えるために、変更用スイッチ切替データを子局９に送信する（Ｓ７１１）。そのとき、図６（ａ）に示す変更用スイッチ切替データを所定のメモリ上に設定する。詳細には、Ｓ７０４で整定値処理データに設定した分散型電源番号を、分散型電源番号に設定する。次に、通常時を示す「０」をＴフラグに設定し、通常モードへの切替を示す「０３ｈ」を制御コードに設定する。そして、現在の日付と時刻を伝送時刻に設定する。なお、変更用スイッチ切替データの固定値は、予め設定されているものとする。続いて、子局９から、切替結果として変更用スイッチ切替データを受信し、制御応動結果を処理結果３５Ａ５として記憶し（Ｓ７１２）、その制御応動結果が正常動作を示す「ＦＦｈ」であるか否かを判定する（Ｓ７１３）。
【００４１】
制御応動結果が「ＦＦｈ」、すなわち、切替結果が正常であれば（Ｓ７１３のＹ）、親局３は、整定値に関する処理を終了する。
【００４２】
Ｓ７０３で整定値変更モードへの切替結果が正常でなかった場合（Ｓ７０３のＮ）、Ｓ７０６で設定値出力の結果が正常でなかった場合（Ｓ７０６のＮ）、Ｓ７１０で整定値変更の結果が正常でなかった場合（Ｓ７１０のＮ）、又は、Ｓ７１３で通常モードへの切替結果が正常でなかった場合（Ｓ７１３のＮ）には、親局３は、当該結果の重要度や緊急度等を勘案し、必要に応じて分散型電源６の解列要求を子局９に送信し、その解列結果を子局９から受信し、処理結果３５Ａ５として記憶する（Ｓ７１４）。なお、解列要求及び解列結果のデータは、少なくとも、分散型電源番号、「解列要求」を示すパケット種別及び解列結果を含むものとする。また、設定値が協定値通りでない場合に（Ｓ７０７のＮ）、整定値の変更を１回行うように説明したが、変更を試行せずに解列要求してもよいし、所定回数だけ設定変更を指示し、それでも整定値が協定値通りにならない場合に、解列要求するようにしてもよい。
【００４３】
そして、親局３は、顧客情報３５Ａを参照し、子局９に送信するデータに設定した分散型電源番号３５Ａ１に対応する顧客連絡先３５Ａ２に対して処理結果３５Ａ５を連絡する（Ｓ７１５）。処理結果３５Ａ５には、ＮＧになるまでの切替結果、処理結果や解列結果が蓄積されている。これによれば、顧客は、整定値に関する処理結果を取得し、参照することにより、どの段階で正常でなくなったかが分かるので、今後の対応策を検討することができる。なお、顧客から問い合わせを受けたときに、分散型電源番号３５Ａ１又は顧客連絡先３５Ａ２に対応した処理結果３５Ａ５を通知してもよい。
【００４４】
なお、親局３は、電力系統の変更等のために、配下にある連系保護リレー５４の整定値を変更する必要が生じた場合に、子局９により設定変更を行うとともに、記憶部３５の顧客情報３５Ａのうち、設定整定値３５Ａ４に新整定値を設定し、連系保護リレー５４に接続された分散型電源３５Ａ１に対応する顧客連絡先３５Ａ２に新整定値を通知する。
【００４５】
図８は、子局９のデータ受信処理を示す。本処理は、子局９において、主として処理部９３が、通信部９１により親局３からＩＰ網７及び中継局４経由でデータを受信し、記憶部９４のデータを参照、更新しながら、整定値変更用スイッチの切替及び整定値に関する処理を実施するものである。
【００４６】
まず、子局９は、親局３からデータを受信したか否かを判定する（Ｓ８０１）。詳細には、通信部９１がデータを受信したか否かを判定し、受信していれば、さらに処理部９３が、当該データ内の分散型電源番号が子局情報９４Ａの分散型電源番号９４Ａ１と一致するか否かを判定する。分散型電源番号の一致するデータを受信していなければ（Ｓ８０１のＮ）、受信チェックを繰り返す。
【００４７】
分散型電源番号の一致するデータを受信していれば（Ｓ８０１のＹ）、子局９は、当該データ内のパケット種別及び制御コードを参照して、当該データの種別が、整定値変更モードへの切替、整定値処理の指示、通常モードへの切替及び分散型電源６の解列要求のいずれであるかを判定する（Ｓ８０２）。
【００４８】
データ種別が整定値変更モードへの切替を指示するものである場合（Ｓ８０２の変更切替）、子局９は、記憶部９４のリレー接続モード９４Ａ２が整定値変更モードか否かを判定する（Ｓ８０３）。整定値変更モードでなければ（Ｓ８０３のＮ）、整定値変更モードに切り替えるために、信号入出力部９２によりマグネットスイッチＭＧＳ２に対して変更用スイッチ切替信号を出力する（Ｓ８０４）。そして、接点情報から判断して変更用スイッチＳＷ１及びＳＷ２の切替が正常に行われたのであれば（Ｓ８０５のＹ）、記憶部９４のリレー接続モード９４Ａ２に整定値変更モードを設定する（Ｓ８０６）。これによれば、子局９から端子Ｔ２経由の整定値処理指示により、連系保護リレー５４が動作したとしても、トリップ信号が端子Ｔ４経由で子局９に届くようになり、開閉器５２の動作用であるマグネットスイッチＭＧＳ１には行かないので、分散型電源６が解列しなくて済む。
【００４９】
Ｓ８０３でリレー接続モード９４Ａ２が整定値変更モードであれば（Ｓ８０３のＹ）、変更用スイッチを切り替える必要がないので、子局９は、Ｓ８０４〜Ｓ８０６の処理をスキップする。Ｓ８０５で変更用スイッチの切替が正常に行われなければ（Ｓ８０５のＮ）、Ｓ８０６の処理をスキップする。
【００５０】
そして、子局９は、変更用スイッチの切替結果を親局３に送信し、処理結果９４Ａ３として記憶部９４に記憶する（Ｓ８０７）。そのとき、図６（ａ）に示す、受信した変更用スイッチ切替データのうち、制御応動結果を切替結果に応じて設定する。詳細には、整定値変更モードが設定済だった場合や切替が正常だった場合には、「ＦＦｈ」を設定する。一方、切替が正常でなかった場合には、「０Ｆｈ」を設定する。そして、通信部９１により親局３に対して変更用スイッチ切替データを送信する。その後、Ｓ８０１に戻って新たなデータの受信を待つ。
【００５１】
データ種別が整定値処理を指示するものである場合（Ｓ８０２の処理指示）、子局９は、記憶部９４のリレー接続モード９４Ａ２が整定値変更モードか否かを判定する（Ｓ８０８）。整定値変更モードであれば（Ｓ８０８のＹ）、整定値処理が実施可能なので、端子Ｔ２に対して、図６（ｂ）に示す、受信した整定値処理データに基づいて、処理信号を出力する（Ｓ８０９）。これにより、連系保護リレー５４の整定値の取得や変更を行うことができる。特に、連系保護リレー５４に対して整定値を書き込むときには、連系保護リレー５４を開閉器５２から切り離しておく必要があるので、整定値変更モードであることを確認する。これは、例えば、整定値が間違って書き込まれると、瞬間的に連系保護リレー５４が動作するおそれがあるからである。整定値変更モードでなければ（Ｓ８０８のＮ）、整定値処理が実施できないので、Ｓ８０９の処理をスキップする。
【００５２】
そして、子局９は、整定値処理の結果を親局３に送信し、記憶部９４に処理結果９４Ａ３として記憶する（Ｓ８１０）。そのとき、図６（ｂ）に示す、受信した整定値処理データのうち、処理応答を処理結果に応じて設定する。詳細には、処理信号に対して連系保護リレー５４から端子Ｔ４経由で所定時間（例えば、１秒間）以内に「正常」の処理結果を受信した場合には、「０１ｈ」以上の結果値を設定する。一方、処理信号に対して所定時間（例えば、１秒間）以内にトリップ信号を受信しなかった場合や、整定値変更モードでないので、処理信号を出力しなかった場合には、「００ｈ」を設定する。そして、通信部９１により親局３に対して整定値処理データを送信する。なお、整定値の取得が正常であった場合には、取得した整定値を整定値９４Ａ４として記憶部９４に記憶する。その後、Ｓ８０１に戻って新たなデータの受信を待つ。
【００５３】
データ種別が通常モードへの切替を指示するものである場合（Ｓ８０２の通常切替）、子局９は、記憶部９４のリレー接続モード９４Ａ２が通常モードか否かを判定する（Ｓ８１１）。通常モードでなければ（Ｓ８１１のＮ）、通常モードに切り替えるために、信号入出力部９２によりマグネットスイッチＭＧＳ２に対して変更用スイッチ切替信号を出力する（Ｓ８１２）。そして、接点情報から判断して変更用スイッチＳＷ１及びＳＷ２の切替が正常に行われたのであれば（Ｓ８１３のＹ）、記憶部９４のリレー接続モード９４Ａ２に通常モードを設定する（Ｓ８１４）。
【００５４】
Ｓ８１１でリレー接続モード９４Ａ２が通常モードであれば（Ｓ８１１のＹ）、変更用スイッチを切り替える必要がないので、子局９は、Ｓ８１２〜Ｓ８１４の処理をスキップする。Ｓ８１３で変更用スイッチの切替が正常に行われなければ（Ｓ８１３のＮ）、Ｓ８１４の処理をスキップする。
【００５５】
そして、子局９は、変更用スイッチの切替結果を親局３に送信し、記憶部９４に処理結果９４Ａ３として記憶する（Ｓ８１５）。そのとき、図６（ａ）に示す、受信した変更用スイッチ切替データのうち、制御応動結果を切替結果に応じて設定する。詳細には、通常モードが設定済だった場合や切替が正常だった場合には、「ＦＦｈ」を設定する。一方、切替が正常でなかった場合には、「０Ｆｈ」を設定する。そして、通信部９１により親局３に対して変更用スイッチ切替データを送信する。その後、Ｓ８０１に戻って新たなデータの受信を待つ。
【００５６】
データ種別が分散型電源６の解列を要求するものである場合（Ｓ８０２の解列要求）、子局９は、信号入出力部９２によりマグネットスイッチＭＧＳ１に対して転送遮断信号を出力する（Ｓ８１６）。そして、接点情報による開閉器５２の開閉状態に応じた解列結果のデータを親局３に送信し、処理結果９４Ａ３として記憶部９４に記憶する（Ｓ８１７）。すなわち、開閉器５２が開路になっていれば、解列結果は「正常」であり、開閉器５２が閉路になっていれば、解列結果は「異常」である。その後、通常モードに切り替えるために、Ｓ８１１〜Ｓ８１５の処理を行い、Ｓ８０１に戻って新たなデータの受信を待つ。
【００５７】
図７により親局３の処理を説明し、図８により子局９の処理を説明したが、これらの処理に含まれる、親局３と、子局９との間におけるデータの伝送には、中継局４が介在する。すなわち、中継局４は、親局３から処理を指示するデータを受信し、子局９に送信し、一方、子局９から処理結果を示すデータを受信し、親局３に送信する。
【００５８】
なお、パワーコンディショナ５においては、整定値変更モードであっても、系統電圧等の監視が行われ、電力系統の故障が発生した場合に、連系保護リレー５４及び開閉器５２が動作する。図３により詳細に説明すると、まず、インバータ制御回路５３が電力系統の異常を検出すると、系統異常情報を連系保護リレー５４に送信する。連系保護リレー５４は、インバータ制御回路５３から系統異常情報を受信し、系統異常を示すトリップ信号を出力する。子局９は、リレー接続が整定値変更モードであるにもかかわらず、端子Ｔ４からトリップ信号を受信した場合には、電力系統の故障発生を認識し、マグネットスイッチＭＧＳ１に転送遮断信号を出力する。
【００５９】
それとは別に、親局３が系統異常を検出し、分散型電源６の解列要求を子局９に送信することによっても、子局９がマグネットスイッチＭＧＳ１に転送遮断信号を出力する。以上によれば、連系保護リレー５４が整定値の変更中であっても、系統異常が発生したときには開閉器５２が開路するので、転送遮断機能は有効であり、分散型電源６の単独運転を防止することができる。
【００６０】
なお、上記実施の形態では、図１に示す分散型電源用転送遮断システム１内の各装置を機能させるために、処理部（ＣＰＵ）で実行されるプログラムをコンピュータにより読み取り可能な記録媒体に記録し、その記録したプログラムをコンピュータに読み込ませ、実行させることにより、本発明の実施の形態に係る分散型電源用転送遮断システム１が実現されるものとする。この場合、プログラムをインターネット等のネットワーク経由でコンピュータに提供してもよいし、プログラムが書き込まれた半導体チップ等をコンピュータに組み込んでもよい。
【００６１】
以上説明した本発明の実施の形態によれば、連系保護リレー５４の整定値の設定及び管理を円滑に行うことができる。これによれば、連系保護リレー５４の運用に際して、分散型電源６の設置者である顧客及び系統管理者、双方にかかる時間や費用の負担を軽減し、電力系統の安全性を確保するとともに、公共の利益を確保することができる。
【００６２】
詳細には、図７のＳ７０７の判定及びＳ７０８の処理に示すように、連系保護リレー５４に設定されている整定値（設定値）が協定値と一致しない場合には、連系保護リレー５４の設定値を協定値に変更する指示を送信するので、顧客が勝手に変更するおそれがあったとしても、系統管理者が整定値をチェックして、必要があれば再設定する。一方、太陽光発電システムが増えたために、各連系保護リレー５４の整定値の変更が必要になったときに、各顧客宅で設定変更するのではなく、遠方の親局３から設定変更を可能にすることにより、現地に作業員が出向かなくてもよいので、設定作業の手間が省ける。以上によれば、連系保護リレー５４の整定値の予期しない変更の要求や、系統管理者の都合による変更の要求に対して、速やかに連系保護リレー５４への整定値の設定変更を行うことができる。
【００６３】
また、Ｓ７０７又はＳ７１０の判定、及び、Ｓ７１１の処理に示すように、正しい整定値が連系保護リレー５４に設定されていることを確認した上で、連系保護リレー５４の接続を通常モードに戻すことができる。
【００６４】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００６５】
（１）上記実施の形態では、子局９が、親局３からの指示に応じて、図８に示す連系保護リレー５４に対する一連の整定値処理（整定値変更モードへの切替、連系保護リレー５４への処理信号の出力、通常モードへの切替等）を行うように説明したが、他のトリガにより整定値処理を行うようにしてもよい。一例として、子局９が、キーボードやタッチパネル等の入力部を備えるようにする。そして、顧客の操作により入力部から処理スケジュールを予め取得し、記憶部９４に記憶しておき、その処理スケジュールに従って整定値処理を行うことが考えられる。これによれば、一旦設定した処理スケジュールに従って子局９が自動的に整定値処理を行うので、人手に頼ることがなく、顧客や、系統管理者、現地作業員の負担を軽減することができるとともに、各人の意向や連系保護リレー５４の状況等に応じて診断スケジュールを調整することができる。
【００６６】
また、現地作業員が、パワーコンディショナ５や分散型電源６の設置された顧客宅を巡回する際に、入力部の操作により連系保護リレー５４の処理指示を入力し、子局９が、その指示に応じて整定値処理を行うことが考えられる。これによれば、現地作業員は、任意のタイミングで連系保護リレー５４の整定値処理を行うことができる。そして、子局９が、協定値を記憶しておき、入力された設定値が協定値通りでない場合に、警報を出すことも考えられる。これによれば、例えば、現地作業員が整定値を入力する際に、整定値そのものではなく、対応する番号を指定するときに間違ったり、数値を入れて設定ボタンを押さなかったりといった設定ミスがありうるので、そのようなミスをすぐに現地作業員に通知するという意義、効果がある。
【００６７】
（２）上記実施の形態では、子局９が親局３の指示によりリレー接続モードの切替を行ったが、親局３から整定値処理の指示を受けて、子局９が「整定値変更モードへの切替、整定値処理、通常モードへの切替」の一連の処理を行うようにしてもよい。
【００６８】
（３）上記実施の形態では、子局９から連系保護リレー５４の接続を整定値変更モードに切り替えてから、整定値の取得や変更を行うように記載したが、整定値の取得は、通常モードのまま行うようにしてもよい。
【００６９】
（４）分散型電源用転送遮断システム１には、「顧客からの分散型電源６の新設連絡（郵送等）を受けて、系統管理者側の親局３の指示により、分散型電源６のＩＤを中継局４に吸い上げる」という機能がある。そのとき、分散型電源６に接続された連系保護リレー５４の整定値も一緒に吸い上げることにより、分散型電源６の新設時における、整定値の初期値を確実に取得することが考えられる。そして、その取得した初期値を記憶しておき、その後、連系保護リレー５４の設定値が初期値と変わったか否かを監視し、変わっていれば、初期値を連系保護リレー５４に再設定することが考えられる。
【００７０】
なお、顧客からの連絡ではなく、工事会社が分散型電源６の製品ＩＤ、設置場所の住所及び連系保護リレー５４の整定値を電力会社の営業所に通知し、その営業所の担当者が親局３に通知内容を入力、設定することにより、親局３における整定値の照合がすぐに可能になる。これによれば、分散型電源６の設置と同時ではないが、設置後のいずれかのタイミングで連系保護リレー５４の整定値を確認することができるようになる。
【符号の説明】
【００７１】
１      分散型電源用転送遮断システム
３      親局（電力系統の管理者の装置）
５      パワーコンディショナ
５２    開閉器
５４    連系保護リレー（保護継電器）
６      分散型電源
９      子局（整定値処理装置）
ＳＷ１、ＳＷ２  変更用スイッチ（切替手段）
【図１】
0005431391.tif 000002
【図２】
0005431391.tif 000003
【図３】
0005431391.tif 000004
【図４】
0005431391.tif 000005
【図５】
0005431391.tif 000006
【図６】
0005431391.tif 000007
【図７】
0005431391.tif 000008
【図８】
0005431391.tif 000009